(57)【要約】【課題】            部品点数を極力少なくして、従来のものと同一の機能を保有した上で、製作コストを大幅に下げることのできる携帯端末のスライド機構を提供する。【解決手段】        第１の筐体と第２の筐体を互いに上下方向に重ね合わせた状態で相対的にスライドさせる機構であって、前記第１の筐体と前記第２の筐体のいずれか一方のものに取り付けられるスライドケースと、このスライドケースに摺動可能に収装され前記第１の筐体と第２の筐体のいずれか他方のものに取り付けられるスライダーと、このスライダーと前記スライドケースとの間に弾設された弾性手段とから成り、前記スライドケースを断面凸形状を呈し一端部を開放させて長手方向に伸びるガイド溝を設けた一体のもので構成し、前記スライダーを前記ガイド溝に対し前記開放端側より係合状態で挿入可能な形状のものとし、前記スライドケースにはさらに前記スライダーを前記ガイド溝に挿入後該スライダーの抜け止めをするストッパー部を設ける。【選択図】          図６
2005207562.tif 000002
【特許請求の範囲】
【請求項１】
第１の筐体と第２の筐体を互いに上下方向に重ね合わせた状態で相対的にスライドさせる機構であって、前記第１の筐体と前記第２の筐体のいずれか一方のものに取り付けられるスライドケースと、このスライドケースに摺動可能に収装され前記第１の筐体と第２の筐体のいずれか他方のものに取り付けられるスライダーと、このスライダーと前記スライドケースとの間に弾設された弾性手段とから成り、前記スライドケースを断面凸形状を呈し一端部を開放させて長手方向に伸びるガイド溝を設けた一体のもので構成し、前記スライダーを前記ガイド溝に対し前記開放端側より係合状態で挿入可能な形状のものとし、前記スライドケースにはさらに前記スライダーを前記ガイド溝に挿入後該スライダーの抜け止めをするストッパー部を設けたことを特徴とする、スライド機構。
【請求項２】
第１の筐体と第２の筐体を互いに上下方向に重ね合わせた状態で相対的にスライドさせる機構であって、前記第１の筐体と前記第２の筐体のいずれか一方のものに取り付けられるスライドケースと、このスライドケースに対し摺動可能に収装され前記第１の筐体と第２の筐体のいずれか他方のものに取り付けられるスライダーと、このスライダーと前記スライドケースとの間に弾設された弾性手段とから成り、前記スライドケースを断面凸形状を呈し一端部を開放させて長手方向に伸びるガイド溝を設けた一体のもので構成し、前記スライダーを前記ガイド溝に対し前記開放端側より係合状態で挿入可能な断面凸形状のものとし、前記スライドケースにはさらに前記スライダーを前記ガイド溝に挿入後該スライダーの抜け止めをするストッパー部を設けたことを特徴とする、請求項１に記載のスライド機構。
【請求項３】
前記スライドケースを、プレス加工によって一体に形成した、基板部と、この基板部の両側部より折り曲げた両側部と、この両側部の各自由端を内側に曲げた係止部と、によってガイド溝を構成したことを特徴とする、請求項１乃至２のいずれかに記載のスライド機構。
【請求項４】
前記弾性手段を、弓形を呈した一枚の板バネで構成すると共に、前記スライダーには、この板バネの頂部を挟んだ両側に位置して該スライダーのガタを防止する凸部を設けたことを特徴とする、請求項１又は２のいずれかに記載のスライド機構。
【請求項５】
前記スライダーが、前記スライドケースのガイド溝より露出した部分に雌ネジ部を設けたことを特徴とする、請求項２に記載のスライド機構。
【請求項６】
前記ストッパー部が、前記スライドケースの側部又は係止部の端部を折り曲げることによって構成したことを特徴とする、請求項１に記載のスライド機構。
【請求項７】
前記ストッパー部が、前記スライドケースの基板部より切り起した切起片によって構成されたことを特徴とする、請求項１に記載のスライド機構。
【発明の詳細な説明】
【技術分野】
【０００１】
この発明は、とくに携帯電話機のような携帯端末の、送話部を構成する第１の筐体と受話部を構成する第２の筐体を、互いにスライド可能に連結する際に用いて好適な、携帯端末のスライド機構に関する。
【背景技術】
【０００２】
携帯端末の一種である携帯電話機において、キーボード部とマイク部を設けた送話部としての第１の筐体と、ディスプレイ部とスピーカー部を設けた受話部としての第２の筐体を互いに重ね合わせた状態で、第１の筐体と第２の筐体が完全に重なり合って第２の筐体で第１の筐体の上面を覆う状態と、第２の筐体を第１の筐体に対して長手方向へスライドさせて第１の筐体の上面を露出させる状態を作り出す、スライド機構付きのものが市場に出回っている。このようなスライド機構を記載した公知文献として、下記する特許文献１に記載されたものが公知である。
【０００３】
【特許文献１】特開２００３−１２５０５２号公開特許公報
【発明の開示】
【発明が解決しようとする課題】
【０００４】
この特許文献１に記載されたものは、スライドカバーとロックプレートを重ね合わせて固着したスライドケースと、このスライドケース内に摺動可能に収装したスライダーと、このスライダーと前記スライドケースの間に弾設した板バネから成るスライドモジュールを２本第２の筐体の下面に並設し、スライダーより２本の取付ピンを突設して、第１の筐体の上面にビスで該取付ピンを固着するという構成のものであった。
【０００５】
このような構成であると、スライドケースを構成するスライドカバーとロックプレートを互いに係合する手段を必要とすることから、スライドケースの構造が複雑になる上に、さらに強度を出すためにスライドケースとロックプレートを互いにかしめて固着したりスポット溶着することが必要となることから製作コストが高くつくという問題があった。
【０００６】
そこで、この発明の目的は、部品点数を極力少なくして、従来のものと同一の機能を保有した上で、製作コストを大幅に下げることのできる携帯端末のスライド機構を提供せんとするにある。
【課題を解決するための手段】
【０００７】
上述した目的を達成するためにこの発明は、第１の筐体と第２の筐体を互いに上下方向に重ね合わせた状態で相対的にスライドさせる機構であって、前記第１の筐体と前記第２の筐体のいずれか一方のものに取り付けられるスライドケースと、このスライドケースに摺動可能に収装され前記第１の筐体と第２の筐体のいずれか他方のものに取り付けられるスライダーと、このスライダーと前記スライドケースとの間に弾設された弾性手段とから成り、前記スライドケースを断面凸形状を呈し一端部を開放させて長手方向に伸びるガイド溝を設けた一体のもので構成し、前記スライダーを前記ガイド溝に対し前記開放端側より係合状態で挿入可能な形状のものとし、前記スライドケースにはさらに前記スライダーを前記ガイド溝に挿入後該スライダーの抜け止めをするストッパー部を設けたことを特徴とする。
この発明はさらに、第１の筐体と第２の筐体を互いに上下方向に重ね合わせた状態で相対的にスライドさせる機構であって、前記第１の筐体と前記第２の筐体のいずれか一方のものに取り付けられるスライドケースと、このスライドケースに対し摺動可能に収装され前記第１の筐体と第２の筐体のいずれか他方のものに取り付けられるスライダーと、このスライダーと前記スライドケースとの間に弾設された弾性手段とから成り、前記スライドケースを断面凸形状を呈し一端部を開放させて長手方向に伸びるガイド溝を設けた一体のもので構成し、前記スライダーを前記ガイド溝に対し前記開放端側より係合状態で挿入可能な断面凸形状のものとし、前記スライドケースにはさらに前記スライダーを前記ガイド溝に挿入後該スライダーの抜け止めをするストッパー部を設けたことを特徴とする。
その際にこの発明は、前記スライドケースを、プレス加工によって一体に形成した、基板部と、この基板部の両側部より折り曲げた両側部と、この両側部の各自由端を内側に曲げた係止部と、によってガイド溝を構成することができる。
この発明はさらに、前記弾性手段を、弓形を呈した一枚の板バネで構成すると共に、前記スライダーには、この板バネの頂部を挟んだ両側に位置して該スライダーのガタを防止する凸部を設けることができる。
この発明はさらに、前記スライダーを、前記スライドケースのガイド溝より露出した部分に雌ネジ部を設けることができる。
この発明はさらに、前記ストッパー部が、前記スライドケースの側部又は係止部の端部を折り曲げることによって構成したことを特徴とする、請求項１に記載のスライド機構。
そして、この発明は、前記ストッパー部を、前記スライドケースの基板部より切り起した切起片によって構成することができる。
【発明の効果】
【０００８】
スライドケースを簡単な構成を有する一体型のものとしたので、部品点数および組立工数を省略して、大幅にコストダウンを図ることができた上に、スライドケースにストッパー部を設けることにより、ガイド溝に嵌入させたスライダーの抜け止めを容易に図ることができるものである。また、スライダーに凸部を設けることにより、スライドケースとスライダーの間に介在させる板バネを１枚とすることができ、この面からも部品点数を省略してコストダウンを図ることができるものである。
【発明を実施するための最良の形態】
【０００９】
以下にこの発明の一実施の形態を携帯電話機に実施した場合について説明するが、この発明に係るスライド機構は他にも例えばザウルス（商標）のような携帯情報端末、電卓、ポケットコンピュータ、携帯ゲーム機、灰皿、ケースの蓋等に実施することができる。
【実施例１】
【００１０】
以下に、この発明の一実施の形態を図１乃至図９に基づいて詳細に説明する。とくに図１乃至図３において、指示記号２に示したものは携帯端末の一種である携帯電話機１の送話部を示し、第１の筐体を構成する。この第１の筐体２の表面にマイク部２ａとキーボード２ｂが設けられている。この第１の筐体２の上部に重ね合わされ、この発明に係るスライド機構によって長手方向へスライド可能に取り付けられているものが、携帯電話機１の受話部であり、第２の筐体３を構成する。この第２の筐体３の表面にスピーカー部３ａとディスプレイ装置３ｂ及びカメラ部３ｃが設けられている。尚、指示記号４で示されたものはアンテナである。このアンテナ４は第１の筐体２の側に取り付けられているが、第２の筐体３の側に取り付けられる場合もある。
【００１１】
次に、この発明に係るスライド機構の構成について説明する。第１の筐体２の上部両側には、とくに図３に示したように、棚部２ｃ，２ｃが設けられている。第２の筐体３の下部両側には、棚部２ｃ，２ｃに摺接するスライド部３ｄ，３ｄが設けられている。尚、この棚部２ｃ，２ｃとスライド部３ｄ，３ｄは、本願発明に係るスライド機構の場合には、後述するようにスライドモジュールが２本あるので、これらを省略しても良い。
【００１２】
次に、指示記号７で示したものは、この発明に係るスライド機構を構成するスライドモジュールである。このスライドモジュール７は、図１乃至図３に示したように、第２の筐体３の下部カバー３ｅに適宜間隔を空けて一対取り付けられている。このスライドモジュール７は、とくに図４から図９にその一本のみ示したように、第２の筐体３の下部カバー３eに取り付けられたスライドケース５と、このスライドケース５内に摺動可能に収装されたスライダー６と、このスライダー６とスライドケース５との間に弾設された板バネ８とで構成されており、スライダー６は第１の上部カバー２ｄに取付ネジ９を介して取り付けられている。このようにして、この発明に係るスライド機構は、第１の筐体２と第２の筐体３との間に設けられている。
【００１３】
次に、スライドケース５は、図５乃至図９に示したように、実施例のものは例えばステンレス製の金属プレートをプレス加工することによって一体に構成され、プレス加工の後に焼き入れ加工をすることによってバネ性を持たせてある。このスライドケース５は、基板部５aと、この基板部５aの両側より折り曲げて垂下させた側板部５ｂ，５ｂと、この側板部５ｂ，５ｂの自由端を内側へ折り曲げて構成した係止部５ｃ，５ｃと、基板部５ａの長手方向は両端部に形成した係止片５ｄと取付片５ｅとから成り、取付片５ｅには取付孔５ｆが設けられている。
【００１４】
このようにしてスライドケース５には、基板部５ａと各側板部５ｂ，５ｂと係止部５ｃ，５ｃとで、断面略凸形を呈したガイド溝１０が形成されている。スライドケース５の係止片５ｄの側は基板部５ａより折り曲げた閉止部５ｇが設けられると共に、取付片５ｅの側には、係止部５ｃ，５ｃの一部を基板部５ａの側へ折り曲げることによって、ストッパー部５ｈ，５ｈが形成されている。さらに、スライドケース５の基板部５ａには、その長手方向の両側部にプレス加工によって隆起させたロック凸部５ｉ，５ｉが設けられている。
【００１５】
スライダー６は、一対のガイド片６a，６aとガイド凸部６ｂから成る、断面略凸形状を呈したもので、とくに図９に示したように、ガイド片６ａ，６ａをガイド溝１０の係合部１０ａ，１０ａに嵌入させ、ガイド凸部６ｂをガイド溝１０の溝部１０ｂに嵌合させて摺動可能に収装されている。このスライダー６もステンレスのような金属プレートをプレス加工することによって構成したもので、プレス加工の後焼き入れによってバネ性を持たせてある。このスライダー６のガイド片６ａ，６ａには、適宜間隔を空けて各一対の凸部６ｃ，６ｃ・６ｃ，６ｃが設けられると共に、ガイド凸部６ｂには、適宜間隔を空けて雌ネジ部６ｄ，６ｄが、例えばバーリング加工によって形成されている。
【００１６】
スライドケース５の基板部５ａとスライダー６のガイド凸部６ｂの内頂部との間には、断面円弧状を呈した板バネ８が弾設されている。この板バネ８は、その中央部にロック部８ａが設けられると共に、その両端部を雌ネジ部６ｄ，６ｄに係止させている。
【００１７】
上述したスライドモジュール７を組み立てる場合には、図１０に示したように、スライドケース５のストッパー部５ｈ，５ｈを折り曲げ加工する前に、板バネ８の両端部をスライダー６の雌ネジ部６ｄ，６ｄに係合させた状態で該板バネ８ごと矢印の方向からスライドケース５のガイド溝１０内に嵌入し終わったら、ストッパー部５ｈ，５ｈを図示してない治具を用いて基板部５ａ側へ曲げることにより、組立てが完了し、同時にスライダー６のスライドケース５に対する抜け止めを行うことができる。尚、このストッパー部５ｈは、１個であっても良い。
【００１８】
そして、スライドケース５を受話部３側へ取り付け、スライダー６のガイド凸部６ｂに設けた雌ネジ部６ｄ，６ｄを取付ビス１２，１２・・・により、第１の筐体２に固着させるものである。実施例のものは、図１乃至図３に示したように、スライドモジュール７を一対用いたものを示してあるが、このものに限定されない。スライドモジュールは１本であっても良いことは前述した。
【００１９】
したがって、第１の筐体を構成する送話部２と、第２の筐体を構成する受話部３が、互いに重なり合った図１に示した状態においては、スライダー６は図４に想像線で示したようにスライドケース５の始端位置にあって、板バネ８のロック部８ａが、ロック凸部５ｉと係合し、かつ、スライダー６の端部が閉止部５ｇに当接することによって、この閉成状態でロックされている。
【００２０】
次に、送話部２のキーボード部２ｂを操作すべく、受話部３をアンテナ４方向へ押すと、板バネ８のロック部８ａと、ロック凸部５ｉの係合が外れて、スライダー６がスライドケース５のガイド溝１０に案内されることによって、受話部３のアンテナ４方向への摺動が可能となり、図２に示したように、送話部２上のキーボード部２ｂが露出されてその操作が可能になる。
【００２１】
スライダー６がスライドケース５内に摺動する時には、板バネ８のロック部８ａが基板部５ａ上に圧接することによって、フリーストップに摺動がなされる。この際に、同時にスライダー６のガイド片６ａ，６ａに凸部６ｃ，６ｃ・６ｃ，６ｃが基板部５ａ上に接することになるので、スライダー６が摺動時に板バネ８が基板部５ａ上に圧接していることによる、該スライダー６の上下方向の揺動は防止されることになる。
【００２２】
送話部２の上面を摺動した受話部３は、送話部２のキーボード部２ｂを完全に露出させたところで、スライダー６の端部がスライドケース５のストッパー部５ｈ，５ｈに当接することによって停止させられる。この時、図４に実線で示したように、スライダー６は、板バネ８のロック部８ａは基板部５ａ上に設けたロック凸部５ｉに乗り越えて係合することにより、この位置でロックされることになる。
【００２３】
受話部３を元位置に戻す際には、該受話部３を先ほどとは逆の方向へ押すと、スライダー６は板バネ８のロック部８ａとロック凸部５ｉとの係合が外れることによって摺動し、スライダー６の端部が閉止部５ｇに当接することによって停止し、この時に板バネ８のロック部８ａが、基板部５ａのロック凸部５ｉと係合することによってロックされる。このようにして受話部３は図１に示したように元位置に戻る。尚、板バネ８は、これを１枚としたものを示したが、板バネを２枚として、スライダー６の凸部６ｃを省略しても良い。
【実施例２】
【００２４】
図１２乃至図１３は、スライドケースに設けるスライダーのストッパー部の他の実施例を示す。図面によれば、図１２に示したように、スライドケース１５の自由端側には、側板部１５ａ，１５ａの先端にストッパー部１５ｂ，１５ｂが形成されており、図１３に示したように、スライダー６をスライドケース１５内に嵌入させた後、このストッパー部１５ｂ，１５ｂを図示してない治具を用いて内側へ折り曲げてスライダー５のスライドケース１５に対する抜け止めを図るものである。尚、このストッパー部１５ｂは側板部１５ａの一方のみに設けても良い。
【実施例３】
【００２５】
図１４は、スライドケースに設けるスライダーのストッパー部のさらに他の実施例を示す。図面によれば、スライドケース２０の基板部２０ａには、弾性を付与された切起片から成るストッパー部２０ｂ，２０ｂが設けられており、スライダー６をスライドケース２０内へ嵌入させた際に、このストッパー部２０ｂ、２０ｂが曲げられてスライダー５の嵌入を許容し、しかる後に元位置に戻ってストッパー部となるものである。このようにして、スライドケース２０に対する抜け止めを図るものである。尚、このストッパー部２０ｂは、１個としても良いし、スライダー６の嵌入後、治具を用いて起こしてストッパー部としても良い。
【００２６】
以上の実施例ではスライドケース５を第２の筐体へスライダーを第１の筐体へ取り付けたものを示したが、スライドケースと第１の筐体へ取り付け、スライダーと第２の筐体へ取り付けても良い。
【産業上の利用可能性】
【００２７】
以上詳細に説明したように、この発明に係るスライド機構は、部品点数が少なく安価に製造できるので、とくにスライド式の携帯端末の中で携帯電話機に用いて好適である。
【図面の簡単な説明】
【００２８】
【図１】この発明に係るスライド機構を実施した携帯端末の一種である携帯電話機の受話部と送話部を閉じた状態の平面図である。
【図２】図１の状態より送話部と受話部を相対的にスライドさせて見た平面図である。
【図３】図１に示した携帯端末に対するスライド機構の取付状態を概括的に示す縦側面図である。
【図４】この発明に係るスライド機構の内部構造と携帯端末に対する取付状態を説明する断面図である。
【図５】この発明に係るスライド機構のスライドモジュールの平面図である。
【図６】この発明に係るスライド機構のスライドモジュールの底面図である。
【図７】この発明に係るスライド機構のスライドモジュールの側面図である。
【図８】この発明に係るスライド機構のスライドモジュールのスライドケースに設けたロック凸部の拡大断面図である。
【図９】この発明に係るスライド機構のスライドモジュール部分の内部構造を示す拡大縦断面図である。
【図１０】スライダーをスライドケースに組み込む前の状態を示す説明図である。
【図１１】スライダーをスライドケースに組み込んだ後の状態を示す説明図である。
【図１２】スライダーをスライドケースに組み込む前の状態を示す他の実施例の説明図である。
【図１３】スライダーをスライドケースに組み込んだ後の状態を示す図１２の実施例の説明図である。
【図１４】スライダーをスライドケースに組み込む場合のさらに他の実施例を示す説明図である。
【符号の説明】
【００２９】
１  携帯電話機
２  送話部（第１の筐体）
２ａ  マイク部
２ｂ  キーボード部
２ｃ  棚部
２ｄ  上部カバー
３  受話部（第２の筐体）
３ａ  スピーカー部
３ｂ  ディスプレイ装置
３ｃ  カメラ部
３ｄ  スライド部
３ｅ  下部カバー
４  アンテナ
５  スライドケース
５ａ  基板部
５ｂ  側板部
５ｃ  係止部
５ｄ  係止片
５ｅ  取付片
５ｆ  取付孔
５ｇ  閉止部
５ｈ  ストッパー部
５ｉ  ロック凸部
６  スライダー
６ａ  ガイド片
６ｂ  ガイド凸部
６ｃ  凸部
６ｄ  雄ネジ部
７  スライドモジュール
８  板バネ
８ａ  ロック部
９  取付ネジ
１０  ガイド溝
【図１】
2005207562.tif 000003
【図２】
2005207562.tif 000004
【図３】
2005207562.tif 000005
【図４】
2005207562.tif 000006
【図５】
2005207562.tif 000007
【図６】
2005207562.tif 000008
【図７】
2005207562.tif 000009
【図８】
2005207562.tif 000010
【図９】
2005207562.tif 000011
【図１０】
2005207562.tif 000012
【図１１】
2005207562.tif 000013
【図１２】
2005207562.tif 000014
【図１３】
2005207562.tif 000015
【図１４】
2005207562.tif 000016